(57)【要約】【課題】紙幣等の鑑別装置の鑑別精度を向上する。【解決手段】紙幣などの紙葉に複数の紫外線発光ＬＥＤ１１を配置したアレイから紫外線を照射する。紫外線は、可視光カットフィルタ１２を経て、レンズ１３で集光され、紙幣に照射される。この紫外線の透過光および紫外線を励起光として紙葉が発する蛍光をフォトダイオード１８によって検出する。紙幣の一定範囲に亘って得られた透過光の検出パターンに基づいて、真偽鑑別を行う。【選択図】  図１
2004280206.tif 000002
【特許請求の範囲】
【請求項１】
紙葉類の真偽鑑別を行う鑑別装置であって、
鑑別対象となる紙葉類に紫外線を照射する紫外線照射部と、
該紫外線の透過光強度を検出する透過光検出部と、
該透過光強度に基づいて前記紙葉類の真偽鑑別を行う鑑別部とを備える鑑別装置。
【請求項２】
請求項１記載の鑑別装置であって、
更に、前記照射により前記紙葉類から発せられる蛍光強度を検出する蛍光検出部を備え、
前記鑑別部は、該蛍光強度を併用して前記真偽鑑別を行う鑑別装置。
【請求項３】
請求項１記載の鑑別装置であって、
前記透過光検出部は、前記紙葉類の複数個所で、前記透過光強度を検出し、
前記鑑別部は、該複数個所での検出結果を併用して前記真偽鑑別を行う鑑別装置。
【請求項４】
請求項３記載の鑑別装置であって、
前記紙葉類を前記紫外線照射部および透過光検出部に対して相対的に搬送する搬送部を備え、
前記複数個所は、搬送方向に沿って設定された部位である鑑別装置。
【請求項５】
請求項３記載の鑑別装置であって、
前記紫外線照射部は、前記複数個所に配置された紫外線の発光素子を有する鑑別装置。
【請求項６】
請求項３記載の鑑別装置であって、
前記透過光検出部は、前記複数個所に配置された前記透過光の受光素子を有する鑑別装置。
【請求項７】
請求項３記載の鑑別装置であって、
前記複数個所において該紙葉類を真と判断するための前記透過強度の許容範囲を予め記憶したパターン記憶部を備え、
前記鑑別部は、前記複数箇所で検出された透過光強度が、所定以上の割合で前記許容範囲に含まれる場合に、前記紙葉類を真と判定する鑑別装置。
【請求項８】
紙葉類の真偽鑑別を行う鑑別方法であって、
鑑別対象となる紙葉類に紫外線を照射する紫外線照射工程と、
該紫外線の透過光強度を検出する透過光検出工程と、
該透過光強度に基づいて前記紙葉類の真偽鑑別を行う鑑別工程とを備える鑑別方法。
【発明の詳細な説明】
【０００１】
【発明の属する技術分野】
本発明は、紙葉類の真偽を鑑別する鑑別装置において、鑑別精度を向上するための技術に関する。
【０００２】
【従来の技術】
近年、紙幣または種々の有価証券を扱う自動機が普及している。これらの自動機には、紙幣等の紙葉類の真偽を鑑別する鑑別装置が備えられている。
【０００３】
紙葉の真偽鑑別は、例えば、紫外線、赤外線など所定の照射光を照射することで得られる反射光または二次光を利用して行われる。二次光とは、照射光によってインクおよび用紙が励起されて発する蛍光発光、赤外発光等を言う。
【０００４】
蛍光の透過光または反射光を用いて真偽鑑別を行う技術として、例えば、特許文献１または特許文献２記載の技術がある。また、紫外線の反射光を利用して真偽鑑別を行う技術として特許文献３記載の技術がある。
【０００５】
【特許文献１】
特開２０００−２９６６８７号公報
【特許文献２】
特開２０００−５２２３２号公報
【特許文献３】
米国特許第５６４０４６３号明細書
【０００６】
【発明が解決しようとする課題】
しかし、紙葉類の偽造技術は、日々向上しており、真偽鑑別技術の更なる充実が求められていた。本発明は、かかる事情を考慮し、照射光を利用した紙葉類の真偽鑑別技術の多様化、充実化を図ることを目的とする。
【０００７】
【課題を解決するための手段】
本発明では、紫外線照射部によって鑑別対象となる紙葉類に紫外線を照射し、透過光検出部によって紫外線の透過光強度を検出し、検出された透過光強度に基づいて紙葉類の真偽鑑別を行う。従来、紫外線の透過光を真偽鑑別に用いた例は、存在しなかった。本願発明者は、種々の実験等に基づき、紫外線を用いる真偽鑑別において、紙葉類によっては反射光よりも透過光の方が精度良く真偽鑑別可能である場合があることを見出した。本発明は、かかる見知に基づきなされたものであり、紫外線の透過光強度を鑑別に用いることにより、鑑別精度を向上することができる。
【０００８】
本発明において、鑑別対象となる紙葉類は、文字等の印刷によって価値を持たせた紙、シート状フィルムまたはカードを意味する。紙葉類には、例えば、紙幣、宝くじ等各種くじ券、競輪競馬競艇投票券、入場券、乗車券、高速道路、電話、各種施設等の利用券、証券、債券、株券、図書券などが含まれる。
【０００９】
本発明においては、更に、紫外線の照射により紙葉類から発せられる蛍光強度を検出し、透過光強度と蛍光強度とを併用して真偽鑑別を行ってもよい。蛍光は、紙葉類の照射側で計測してもよいし、透過側で計測してもよい。このように、複数種類の手段を併用することにより、鑑別精度を更に向上することができる。蛍光は、紫外線を励起光として発光するため、透過光強度と蛍光強度は、共通の照射部を利用して測定することができる利点もある。
【００１０】
本発明においては、紙葉類の複数個所で透過光強度を検出し、複数個所での検出結果を併用して真偽鑑別を行ってもよい。こうすることにより、更に、検出精度を向上することができる。透過光強度のみならず、併せて、蛍光強度を複数個所で計測してもよい。
【００１１】
本発明では、例えば、紙葉類を紫外線照射部および透過光検出部に対して相対的に搬送する搬送部を設けることができる。搬送部は、紙葉類を移動させてもよいし、紫外線照射部および透過光検出部を移動させてもよい。かかる搬送部を有する場合には、複数個所は、搬送方向（以下、主走査方向と称する）に沿って設定された部位とすることができる。こうすれば、搬送とともに、比較的簡易な構成で複数個所での検出を実現することができる。複数個所は、副走査方向に限定されるものではなく、搬送方向と直行する方向（以下、副走査方向と称する）に複数個所の検出を行っても構わない。
【００１２】
複数個所で検出を行うために、紫外線の発光素子を複数個所に配置するものとしてもよい。透過光または蛍光の受光素子を複数個所に配置するものとしてもよい。このように紫外線の照射部、および透過光や蛍光の受光部に、いわゆるアレイ構造を用いることにより、複数個所を同時に検出できるため、検出時間を短縮することができる。また、発光素子、受光素子の位置が予め設定されているため、検出の位置精度を向上することができる。
【００１３】
アレイ構造を用いる場合には、副走査方向に各素子を配置することが好ましい。かかるアレイ構造を用いて、紙葉類を搬送しながら検出すれば、比較的簡易に、２次元的に設定された複数個所での検出を実現することができる。
【００１４】
複数個所での検出結果は、種々の態様で利用することができる。例えば、複数個所において紙葉類を真と判断するための透過強度の許容範囲を予め記憶したパターンと比較してもよい。この場合には、例えば、複数箇所で検出された透過光強度が、所定以上の割合で許容範囲に含まれる場合に紙葉類を真と判定する方法を採ることができる。極端な例として、検出結果が全て許容範囲内である場合に真としてもよいし、一つでも許容範囲にあれば真と判断するようにしてもよい。
【００１５】
本発明は、紙葉類の鑑別装置、鑑別方法など種々の態様で構成することができる。
【００１６】
【発明の実施の形態】
以下、本発明の実施の形態を、紙幣の鑑別装置としての実施例に基づいて、次の項目に分けて説明する。
Ａ．鑑別装置の構成および鑑別処理：
Ｂ．光学ユニットの変形例：
Ｂ１．変形例（１）：
Ｂ２．変形例（２）：
Ｂ３．変形例（３）：
Ｂ４．変形例（４）：
Ｂ５．変形例（５）：
Ｂ６．変形例（６）：
Ｃ．その他の変形例：
【００１７】
Ａ．鑑別装置の構成：
図１は第１実施例としての鑑別装置の概略構成を示す説明図である。実施例では、紙幣の真偽を鑑別する装置であり、例えば、現金自動取引機に内蔵する装置として構成される。
【００１８】
図の上部には、鑑別装置の内部を側面から見た状態を模式的に示した。紙幣は、搬送路Ｔ上を図の表面から裏面に向けて搬送される。図示を省略したが、搬送路Ｔには、紙幣の搬送位置を検出するための光学的センサが設けられている。この搬送方向を以下、主走査方向と称する。主走査方向に直交する方向を副走査方向と称する。
【００１９】
鑑別装置には、副走査方向に沿って、紫外線発光ＬＥＤ１１が複数等間隔で配置されている。この紫外線発光ＬＥＤ１１から照射された紫外線のうち、搬送路の紙幣を透過した透過光は、基板１９に同じく複数配置されたフォトダイオード１８によって検出される。フォトダイオード１８の検出信号の増幅回路を基板１９に設けても良い。紫外線を照射し、透過光および蛍光等を受光するための機構を、以下、光学ユニットと総称する。
【００２０】
紫外線発光ＬＥＤ１１とフォトダイオード１８との間には、紙幣の複数個所で紫外線の透過光強度を精度良く検出するための光学機構が設けられている。可視光カットフィルタ１２は、紫外線発光ＬＥＤ１１の照射光に含まれる可視光を除外する。レンズ１３は、照射された紫外線を紙幣の所定部位に集光させる。
【００２１】
保護ガラス１４，１５は光学ユニット品を、紙幣等から保護する。レンズ１６は、紙幣を透過した紫外線の透過光を、フォトダイオード１８上に集光する。フィルタ１７は、紫外線の透過光および紫外線照射によって発光された蛍光を選択的に透過する。フィルタ１７の構造については、後で示す。本実施例において、各レンズ１３、１６および保護ガラス１４、１５は、紫外線を透過するとともに、紫外線による蛍光発光を生じない部材を用いている。
【００２２】
鑑別装置は、紫外線発光ＬＥＤ１１など各部位の動作を制御するとともに、紙葉類の真偽鑑別を行う制御ユニット１００を備えている。本実施例では、制御ユニット１００は、内部にＣＰＵ、ＲＯＭ、ＲＡＭを備えるマイクロコンピュータによって構成されている。
【００２３】
図の下部に制御ユニット１００の機能ブロックを示した。これらの機能ブロックは、鑑別機能を実現するためのソフトウェアをＲＯＭに記録することによって、ソフトウェア的に構成されている。各機能ブロックは、ハードウェア的に構成することも可能である。
【００２４】
鑑別部１１０は、その他の機能ブロックを制御して、紙幣の鑑別機能を実現する。搬送制御部１０３は、搬送路Ｔを制御して、鑑別対象となる紙幣を搬送する。照射制御部１０４は、紙幣が所定の位置に来た時点で、紫外発光ＬＥＤ１１を制御して、紫外線の照射を行わせる。
【００２５】
紫外線の照射が行われると、透過光入力部１０１は、フォトダイオード１８から、紙幣の透過光強度を入力する。蛍光入力部１０２は、同じく、フォトダイオード１８から紫外線を励起光として発光された蛍光強度を入力する。真券パターン１０５には、紙幣が真券である場合に得られるべき透過光強度および蛍光強度の検出パターンが予め記録されている。鑑別部１１０は、鑑別対象となる紙幣から得られた透過光強度、蛍光強度を、真券パターン１０５と比較して、真偽を鑑別する。
【００２６】
図２は光学ユニットの拡大図である。先に説明した通り、それぞれの光学ユニット品は、紫外線発光ＬＥＤ１１と搬送路Ｔの間に、可視光カットフィルタ１２、レンズ、保護ガラス１４が順に配置されている。搬送路Ｔとフォトダイオード１８が取り付けられた基板１９との間には、保護ガラス１５、レンズ１６、フィルタ１７が配置されている。
【００２７】
図の右側に、フィルタ１７の平面図を示した。実施例のフィルタ１７は、可視光カットフィルタ１７ａおよび紫外線カットフィルタ１７ｂの２種類のフィルタを組み合わせて構成されている。各フィルタは、交互にフォトダイオード１８を覆うように組み合わされている。図の左側に示す通り、可視光カットフィルタ１７ａで覆われたフォトダイオード１８ａは、紙幣を透過した紫外線透過光を検出する。紫外線カットフィルタ１７ｂで覆われたフォトダイオード１８ｂは、紫外線を励起光として発光する蛍光を検出する。
【００２８】
図３は光学ユニットを副走査方向に眺めた場合の拡大断面図である。光学ユニットの発光側では、紫外線発光ＬＥＤ１１、可視光カットフィルタ１２、レンズ１３および保護ガラス１４が、図示する通り、構造体１０ａに組み付けられている。受光側では、保護ガラス１５、レンズ１６、フィルタ１７、フォトダイオード１８、基板１９が図示する構造体１０ｂに通り組み付けられている。
【００２９】
実施例では、このように紫外線透過光と蛍光を同時に計測可能な構成を用いたが、紫外線透過光のみを計測可能な構成としてもよい。この構成は、例えば、フィルタ１７の全面を、可視光カットフィルタとすることにより実現可能である。
【００３０】
図４は真券パターン例を示す説明図である。紙幣は図の下部に示すように、副走査方向が長手方向となる状態で搬送される。紫外線の照射は、紫外線発光ＬＥＤ１１が図中のスキャン位置まで来た時点で行われる。
【００３１】
真券パターンは、所定のスキャン位置で真券に対して検出される紫外線透過光の強度パターンであり、金種に応じて設定される。本実施例では、図の上部に破線で示すように、真券として許容される強度の範囲を、上限値ＵＬ、下限値ＬＬで規定した。鑑別対象となる紙幣に対して得られた透過光強度パターンが、図中の実線Ｂ、Ｃのように、上限値ＵＬと下限値ＬＬの間に含まれる場合には、真券と鑑別される。実線Ａのように、許容範囲をはみ出す場合には、偽券と鑑別することができる。
【００３２】
真偽の鑑別基準は、種々の設定が可能である。上述のように、検出されたパターンが一部でも許容範囲をはみ出す場合には、偽券と判断してもよいし、所定の割合以上ではみ出す場合に偽券と判断してもよい。逆に、一部でも許容範囲に入っていれば真券と判断してもよい。
【００３３】
真券パターンは、必ずしも許容範囲を記憶する必要はなく、例えば、真券から得られる平均強度を記憶してもよい。この場合には、鑑別対象から得られる強度パターンと真券パターンとの差違が予め設定された誤差範囲内に収まっているか否かで、真偽を鑑別することができる。図中では、透過光のパターンを例示したが、同様に、蛍光パターンについても用意することができる。
【００３４】
図５は真偽鑑別処理のフローチャートである。紙幣の搬送時に、制御ユニット１００が実行する処理である。制御ユニット１００は、紙幣が図４に示したスキャン位置まで搬送されてきたことを検知すると（ステップＳ１０）、紫外線を照射し（ステップＳ１１）、紫外線の透過光および蛍光の強度を検出する（ステップＳ１２）。こうして得られた透過光および蛍光の強度を、紙幣の金種に応じて、真券パターン１０５と対比し、真偽鑑別を行う（ステップＳ１３）。金種は、別の機構で判断した結果を受け取るものとしてもよいし、鑑別装置が紙幣の画像をスキャンし、画像処理によって判断するものとしてもよい。制御ユニット１００は、こうして得られた真偽鑑別の結果を出力して（ステップＳ１４）、処理を終了する。
【００３５】
Ｂ．光学ユニットの変形例：
Ｂ１．変形例（１）：
図６は第１変形例としての光学ユニットを示す説明図である。搬送路Ｔより受光側の構成は、実施例と同じである。第１変形例では、基板２１ａに等間隔に配置された紫外線発光用ＬＥＤのチップ２１ｂを備えている。このチップ２１ｂから発光された紫外線は、可視光カットフィルタ２２および保護ガラス２４を経て、搬送路Ｔ上の紙幣に照射される。
【００３６】
図７は第１変形例としての光学ユニットを副走査方向に眺めた場合の拡大断面図である。光学ユニットの発光側では、基板２１ａ、チップ２１ｂ、可視光カットフィルタ２２および保護ガラス２４が、図示する通り、構造体２０ａに組み付けられている。構造体２０の内面は、可視光カットフィルタ２２と保護ガラス２４の間で、副走査方向を軸方向とする楕円柱状に形成され、紫外線を反射する反射コートが施された反射面２３を形成している。チップ２１ｂから発光された紫外線は、この反射面２３で反射されることによって、紙幣上の所定の位置に集光される。
【００３７】
光学ユニットの受光側では、保護ガラス１５、レンズ１６、フィルタ１７、フォトダイオード１８、基板１９が図示する通り組み付けられている。これらの各部品の機能は、実施例と同じであるため、説明を省略する。
【００３８】
図８は第１変形例としての光学ユニットを主走査方向に眺めた場合の拡大断面図である。この変形例では、３つのフォトダイオード１８に対して１つの割合でチップ２１ｂを配置しているが、チップ２１ｂは、更に密または疎に配置することも可能である。
【００３９】
Ｂ２．変形例（２）：
図９は第２変形例としての光学ユニットを示す説明図である。第２変形例では、発光側の紫外線の発光管３１を備えている。この発光管３１から発光された紫外線は、可視光カットフィルタ３２、レンズ３３、保護ガラス３４を経て、搬送路Ｔ上の紙幣に照射される。レンズ３３は、紫外線を紙幣上の所定の位置に集光する役割を果たす。受光側には、保護ガラス３５、レンズ３６、フィルタ３７、フォトダイオード３８、基板３９が図示する通り配置されている。
【００４０】
図１０は第２変形例としての光学ユニットを副走査方向に眺めた場合の拡大断面図である。図１１は第２変形例としての光学ユニットを主走査方向に眺めた場合の拡大断面図である。発光側では、発光管３１、可視光カットフィルタ３２、レンズ３３、および保護ガラス３４が、図示する通り、構造体３０ａに組み付けられている。
【００４１】
受光側の各部品は構造体３０ｂに組み付けられる。第２変形例では、基板上には主走査方向に、紫外線の透過光受光用のフォトダイオード３８ａと蛍光受光用のフォトダイオード３８ｂが並列に設けられている。紫外線の透過光受光用のフォトダイオード３８ａの上面には可視光カットフィルタ３７ａが設けられ、蛍光受光用のフォトダイオード３８ｂの上面には紫外線カットフィルタ３７ｂが設けられている。レンズ３６は、それぞれのフォトダイオード３８ａ、３８ｂに集光する形状に構成されている。
【００４２】
Ｂ３．変形例（３）：
図１２は第３変形例としての光学ユニットを副走査方向に眺めた場合の拡大断面図である。この光学ユニットが、副走査方向に多数配列され、アレイを構成している。
【００４３】
発光側では、紫外線発光ＬＥＤ４１、可視光カットフィルタ４２、レンズ４３が、図示する通り、構造体４０ａに組み付けられている。更に、保護ガラス等を設けても良い。受光側では、可視光カットフィルタ４７およびフォトダイオード４８が構造体４０ｂに組み付けられている。更に、保護ガラス、レンズ等を設けても良い。
【００４４】
Ｂ４．変形例（４）：
図１３は第４変形例としての光学ユニットを副走査方向に眺めた場合の拡大断面図である。この光学ユニットが、副走査方向に多数配列され、アレイを構成している。
【００４５】
発光側では、紫外線発光ＬＥＤ５１、可視光カットフィルタ５２、レンズ５３、および保護ガラス５４が、図示する通り、構造体５０ａに組み付けられている。
【００４６】
受光側では、保護ガラス５５の下面に、紫外線の透過光検出用のフォトダイオード５８ａおよび蛍光受光用のフォトダイオード５８ｂが、構造体５０ｂに組み付けられている。紫外線の透過光検出用のフォトダイオード５８ａの前面には可視光カットフィルタ５７ａが取り付けられ、蛍光検出用のフォトダイオード５８ｂの前面には紫外線カットフィルタ５７ｂが取り付けられている。紫外線発光ＬＥＤ５１、フォトダイオード５８ａ、５８ｂの光軸は、搬送路上で交わるよう設定されている。かかる位置関係で組み付けることにより、比較的簡易な構成で、紫外線照射時に、紙幣の透過光および蛍光をそれぞれのフォトダイオード５８ａ、５８ｂで受光することができる。
【００４７】
Ｂ５．変形例（５）：
図１４は第５変形例としての光学ユニットを示す説明図である。副走査方向に眺めた状態を示した。発光側には、等間隔に配置された紫外線発光用ＬＥＤ６１、可視光カットフィルタ６２および保護ガラス６４が構造体６０ａに組み付けられている。構造体６０ａの内面は、可視光カットフィルタ６２と保護ガラス６４の間で、副走査方向を軸方向とする楕円柱状に形成され、紫外線を反射する反射コートが施された反射面６３を形成している。
【００４８】
受光側の各部品は、構造体６０ｂに組み付けられている。保護ガラス６５の下面には、紫外線を選択的に反射し、その他の光を透過する反射板６７が設けられている。反射板６７の側方には、紫外線を検出するためのフォトダイオード６８ａが設けられ、反射板６７の下方には、蛍光を検出するためのフォトダイオード６８ｂが設けられている。紙幣に照射された紫外線の透過光は、反射板６７で反射され、フォトダイオード６８ａで検出される。紫外線によって励起された蛍光は、反射板６７を透過し、フォトダイオード６８ｂで検出される。
【００４９】
Ｂ６．変形例（６）：
図１５は第６変形例としての光学ユニットを示す説明図である。副走査方向に眺めた状態を示した。第６変形例は、発光側に発光される蛍光を検知するよう構成されている。
【００５０】
発光側は各部品が構造体７０ａに図示する状態で組み付けられている。等間隔に配置された紫外線発光用ＬＥＤ７１、可視光カットフィルタ７２、レンズ７３は、図示する通り、搬送路Ｔに対して傾けた状態で設けられている。紫外線発光用ＬＥＤ７１と線対称な位置関係で、蛍光検出用のフォトダイオード７８ｂが設けられている。フォトダイオード７８ｂの前面には、紫外線カットフィルタ７７ｂが設けられている。これらの部品は、保護ガラス７４によって保護される。
【００５１】
受光側の各部品は、構造体７０ｂに組み付けられている。保護ガラス７５の下面には、可視光カットフィルタ７７ａ、および紫外線を検出するためのフォトダイオード７８ａが設けられている。
【００５２】
第６変形例の配置によれば、紫外線発光用ＬＥＤ７１から紙幣に照射された紫外線の透過光は、フォトダイオード７８ａで検知し、蛍光はフォトダイオード７８ｂで検知することができる。透過光および蛍光の効率的な検知を可能とするため、紫外線発光用ＬＥＤ７１、フォトダイオード７８ａ、７８ｂの光軸が、１２０°間隔で交わるよう各部品を配置することが好ましい。
【００５３】
Ｃ．その他の変形例：
上述の実施例および変形例では、主走査方向で予め設定されたスキャン位置で透過光および蛍光強度を計測する場合を例示した。紙幣を搬送しながら、主走査方向の複数箇所でスキャンしてもよい。副走査方向に複数箇所で計測可能なアレイを用いて、かかるスキャンを行うことにより、紙幣面上に２次元的に配置された各部位で計測を行うことができ、鑑別精度を向上することができる。
【００５４】
実施例では、フォトダイオードのアレイ構造を例示した。計測は、単一のフォトダイオードを用いてもよい。例えば、単一のフォトダイオードを、副走査方向または主走査方向等に移動させながら、計測を行うようにしてもよい。但し、アレイ構造を用いれば、複数箇所の計測を短時間で完了することができる利点がある。また、移動させながら計測を行う場合に比較して、計測位置の精度が向上し、ひいては真偽鑑別の精度が向上する利点もある。
【００５５】
【発明の効果】
本発明によれば、紫外線の透過光を利用して、精度良く真偽鑑別を行うことができる。
【図面の簡単な説明】
【図１】第１実施例としての鑑別装置の概略構成を示す説明図である。
【図２】光学ユニットの拡大図である。
【図３】光学ユニットを副走査方向に眺めた場合の拡大断面図である。
【図４】真券パターン例を示す説明図である。
【図５】真偽鑑別処理のフローチャートである。
【図６】第１変形例としての光学ユニットを示す説明図である。
【図７】第１変形例としての光学ユニットを副走査方向に眺めた場合の拡大断面図である。
【図８】第１変形例としての光学ユニットを主走査方向に眺めた場合の拡大断面図である。
【図９】第２変形例としての光学ユニットを示す説明図である。
【図１０】第２変形例としての光学ユニットを副走査方向に眺めた場合の拡大断面図である。
【図１１】第２変形例としての光学ユニットを主走査方向に眺めた場合の拡大断面図である。
【図１２】第３変形例としての光学ユニットを副走査方向に眺めた場合の拡大断面図である。
【図１３】第４変形例としての光学ユニットを副走査方向に眺めた場合の拡大断面図である。
【図１４】第５変形例としての光学ユニットを示す説明図である。
【図１５】第６変形例としての光学ユニットを示す説明図である。
【符号の説明】
１０ａ、１０ｂ…構造体
１１…紫外線発光ＬＥＤ
１２…可視光カットフィルタ
１３…レンズ
１４，１５…保護ガラス
１６…レンズ
１７、１７ａ、１７ｂ…フィルタ
１８、１８ａ、１８ｂ…フォトダイオード
１９…基板
２０、２０ａ…構造体
２１ａ…基板
２１ｂ…チップ
２２…可視光カットフィルタ
２３、…反射面
２４…保護ガラス
３０ａ、３０ｂ…構造体
３１…発光管
３２…可視光カットフィルタ
３３…レンズ
３４、３５…保護ガラス
３６…レンズ
３７、３７ａ、３７ｂ…フィルタ
３８、３８ａ、３８ｂ…フォトダイオード
３９…基板
４０ａ、４０ｂ…構造体
４１…紫外線発光ＬＥＤ
４２…可視光カットフィルタ
４３…レンズ
４７…可視光カットフィルタ
４８…フォトダイオード
５０ａ、５０ｂ…構造体
５１…紫外線発光ＬＥＤ
５２…可視光カットフィルタ
５３…レンズ
５４、５５…保護ガラス
５７ａ…可視光カットフィルタ
５７ｂ…紫外線カットフィルタ
５８ａ、５８ｂ…フォトダイオード
６０ａ、６０ｂ…構造体
６１…紫外線発光ＬＥＤ
６２…可視光カットフィルタ
６３…反射面
６４、６５…保護ガラス
６７…反射板
６８ａ、６８ｂ…フォトダイオード
７０ａ、７０ｂ…構造体
７１…紫外線発光ＬＥＤ
７２…可視光カットフィルタ
７３…レンズ
７４、７５…保護ガラス
７７ｂ…紫外線カットフィルタ
７７ａ…可視光カットフィルタ
７８ａ、７８ｂ…フォトダイオード
１００…制御ユニット
１０１…透過光入力部
１０２…蛍光入力部
１０３…搬送制御部
１０４…照射制御部
１０５…真券パターン
１１０…鑑別部
【図１】
2004280206.tif 000003
【図２】
2004280206.tif 000004
【図３】
2004280206.tif 000005
【図４】
2004280206.tif 000006
【図５】
2004280206.tif 000007
【図６】
2004280206.tif 000008
【図７】
2004280206.tif 000009
【図８】
2004280206.tif 000010
【図９】
2004280206.tif 000011
【図１０】
2004280206.tif 000012
【図１１】
2004280206.tif 000013
【図１２】
2004280206.tif 000014
【図１３】
2004280206.tif 000015
【図１４】
2004280206.tif 000016
【図１５】
2004280206.tif 000017